(57)【要約】【課題】蛍光体の残光特性に起因するカラーブレイキングの発生を抑制でき、かつ、広い色再現範囲を実現できる、液晶表示装置用のバックライト装置を提供する。【解決手段】バックライト装置の光源であるＬＥＤモジュールは、青色ＬＥＤ素子を赤色蛍光体で覆った構造のマゼンタ色発光体と、緑色ＬＥＤ素子からなる緑色発光体と、青色ＬＥＤ素子からなる青色発光体とによって構成される。バックライト駆動回路は、ＬＥＤモジュールを消灯状態にする際、青色発光体内の青色ＬＥＤ素子から発せられる青色光Ｌ（Ｂ２）の輝度および緑色ＬＥＤ素子から発せられる緑色光Ｌ（Ｇ）の輝度が赤色蛍光体から発せられる赤色光Ｆ（Ｒ）の特性（赤色蛍光体の残光特性）に応じて徐々に小さくなるように、点灯電流の大きさを制御する。【選択図】図１
2015219277.tif 000002
【特許請求の範囲】
【請求項１】
光源に発光素子を用いたバックライト装置であって、
第１の青色発光素子と前記第１の青色発光素子から発せられる光によって励起されて発光する赤色蛍光体とで構成された第１の発光体，緑色発光素子で構成された第２の発光体，および第２の青色発光素子で構成された第３の発光体からなる発光体モジュールが設けられているバックライト本体と、
前記第１の青色発光素子に供給する点灯電流の大きさ，前記緑色発光素子に供給する点灯電流の大きさ，および前記第２の青色発光素子に供給する点灯電流の大きさをそれぞれ独立に制御することによって、前記第１の青色発光素子から発せられる光の輝度，前記緑色発光素子から発せられる光の輝度，および前記第２の青色発光素子から発せられる光の輝度を制御するバックライト駆動部と
を備え、
前記バックライト駆動部は、前記発光体モジュールを消灯状態にする際、前記第２の青色発光素子を消灯状態から点灯状態に変化させた後、前記緑色発光素子から発せられる光の輝度および前記第２の青色発光素子から発せられる光の輝度が前記赤色蛍光体の残光特性に応じて徐々に小さくなるように、前記緑色発光素子に供給する点灯電流の大きさおよび前記第２の青色発光素子に供給する点灯電流の大きさを制御することを特徴とする、バックライト装置。
【請求項２】
前記バックライト駆動部は、前記第１の青色発光素子が点灯状態で維持されている期間中、前記第２の青色発光素子を消灯状態で維持することを特徴とする、請求項１に記載のバックライト装置。
【請求項３】
前記バックライト駆動部は、前記第１の青色発光素子，前記緑色発光素子，および前記第２の青色発光素子を制御対象発光素子として、
与えられた制御電圧の大きさに応じた一定電流を点灯電流として前記制御対象発光素子に供給するための一定電流維持回路と、
与えられた制御信号のパルス幅に応じて前記制御対象発光素子への点灯電流の供給のオン／オフを制御するパルス幅変調制御回路と、
前記制御対象発光素子の目標輝度に応じて、前記制御電圧を前記一定電流維持回路に与えるとともに前記制御信号を前記パルス幅変調制御回路に与える制御部と
を備えることを特徴とする、請求項１に記載のバックライト装置。
【請求項４】
前記バックライト駆動部は、前記発光体モジュールを消灯状態にする際、前記制御部から前記一定電流維持回路に与える制御電圧の大きさを徐々に変化させることによって、前記緑色発光素子から発せられる光の輝度および前記第２の青色発光素子から発せられる光の輝度を徐々に小さくすることを特徴とする、請求項３に記載のバックライト装置。
【請求項５】
前記バックライト駆動部は、前記発光体モジュールを消灯状態にする際、前記制御部から前記パルス幅変調制御回路に与える制御信号のパルス幅を徐々に小さくすることによって、前記緑色発光素子から発せられる光の輝度および前記第２の青色発光素子から発せられる光の輝度を徐々に小さくすることを特徴とする、請求項３に記載のバックライト装置。
【請求項６】
前記バックライト駆動部は、前記発光体モジュールを消灯状態にする際、前記制御部から前記一定電流維持回路に与える制御電圧の大きさを段階的に変化させることによって、前記緑色発光素子から発せられる光の輝度および前記第２の青色発光素子から発せられる光の輝度を徐々に小さくすることを特徴とする、請求項３に記載のバックライト装置。
【請求項７】
前記バックライト駆動部は、前記制御対象発光素子に流れる点灯電流を検出する電流検出回路を更に備え、
前記制御部は、前記電流検出回路によって検出された点灯電流の大きさを考慮しつつ、前記制御電圧の大きさまたは前記制御信号のパルス幅の少なくとも一方を調整することを特徴とする、請求項３に記載のバックライト装置。
【請求項８】
前記第１の青色発光素子，前記緑色発光素子，および前記第２の青色発光素子は、発光ダイオード素子であることを特徴とする、請求項１に記載のバックライト装置。
【請求項９】
前記第１の青色発光素子，前記緑色発光素子，および前記第２の青色発光素子は、レーザーダイオード素子であることを特徴とする、請求項１に記載のバックライト装置。
【請求項１０】
液晶表示装置であって、
画像を表示する表示部を含む液晶パネルと、
前記液晶パネルの背面に光を照射する請求項１に記載のバックライト装置と
を備えることを特徴とする、液晶表示装置。
【請求項１１】
第１の青色発光素子と前記第１の青色発光素子から発せられる光によって励起されて発光する赤色蛍光体とで構成された第１の発光体，緑色発光素子で構成された第２の発光体，および第２の青色発光素子で構成された第３の発光体が光源として設けられているバックライト装置の駆動方法であって、
前記第１の青色発光素子および前記緑色発光素子を点灯状態で維持するとともに前記第２の青色発光素子を消灯状態で維持する第１ステップと、
前記第１の青色発光素子を点灯状態から消灯状態に変化させるとともに前記第２の青色発光素子を消灯状態から点灯状態に変化させる第２ステップと、
前記緑色発光素子から発せられる光の輝度および前記第２の青色発光素子から発せられる光の輝度が前記赤色蛍光体の残光特性に応じて徐々に小さくなるように、前記緑色発光素子に供給する点灯電流の大きさおよび前記第２の青色発光素子に供給する点灯電流の大きさを制御する第３ステップと
を含むことを特徴とする、駆動方法。
【発明の詳細な説明】
【技術分野】
【０００１】
本発明は、バックライト装置に関し、より詳しくは、光源にＬＥＤ（発光ダイオード）などの発光素子を採用している液晶表示装置用のバックライト装置に関する。
【背景技術】
【０００２】
近年、デジタル機器の高機能化・高性能化が顕著であり、各種画像に関する高品質化への要求が高まっている。そこで、表示装置，印刷装置，撮像装置などの分野においては、従来より、色再現範囲（「色域」とも呼ばれている。）の拡大が図られている。液晶テレビジョンなどの液晶表示装置に関しては、例えばバックライト装置やカラーフィルタを改良することによって色再現範囲の拡大が図られている。
【０００３】
ところで、液晶表示装置においては、３原色の加法混色によって色の表示が行われる。このため、透過型の液晶表示装置には、赤色成分，緑色成分，および青色成分を含む白色光を液晶パネルに照射することのできるバックライト装置が必要とされる。バックライト装置の光源には、従来、ＣＣＦＬと呼ばれる冷陰極管が多く採用されていた。しかしながら、近年、消費電力の低さや輝度制御の容易さなどの観点からＬＥＤの採用が増加している。
【０００４】
上述したように、透過型の液晶表示装置には、白色光を液晶パネルに照射することのできるバックライト装置が必要とされる。そこで、例えば、青色ＬＥＤ素子９５２を黄色蛍光体９５４で覆った構造の白色発光体９５０を光源とするバックライト装置（図１４参照）や、青色ＬＥＤ素子９６２を赤色蛍光体９６４および緑色蛍光体９６６で覆った構造の白色発光体９６０を光源とするバックライト装置（図１５参照）が用いられている。また、赤色ＬＥＤ素子９３２からなる赤色発光体９３０と緑色ＬＥＤ素子９２２からなる緑色発光体９２０と青色ＬＥＤ素子９４２からなる青色発光体９４０とを光源とするバックライト装置（図１６参照）も用いられている。上述した各構成において、各蛍光体は、対応するＬＥＤ素子から発せられる光によって励起されて発光する。なお、一般的にはＬＥＤ素子がレンズで覆われた状態のものも「ＬＥＤ」と呼ばれているが、本明細書においては、当該状態のものをＬＥＤ素子と明確に区別するために「発光体」という。また、本明細書においては、図１６に示すような複数の発光体からなる一組の光源群のことを「ＬＥＤモジュール」という。
【０００５】
図１６に示す構成によれば、図１４に示す構成や図１５に示す構成に比べて、駆動回路が複雑になり、高コスト・高消費電力となる。しかしながら、色再現範囲については、図１４に示す構成や図１５に示す構成を採用した場合よりも図１６に示す構成を採用した場合の方が広くなる。従って、従来、広い色再現範囲を実現する際には、図１６に示す構成のＬＥＤモジュールが光源に採用されることが多かった。しかしながら、発光体に用いる蛍光体の近年の技術の進歩により、図１６に示す構成のＬＥＤモジュールよりも広い色再現範囲を実現するＬＥＤモジュールが提供されている。具体的には、図１７に示すような、青色ＬＥＤ素子９１２を赤色蛍光体９１４で覆った構造のマゼンタ色発光体９１０と緑色ＬＥＤ素子９２２からなる緑色発光体９２０とによって構成されたＬＥＤモジュールが提供されている。図１７に示す構成のＬＥＤモジュールによれば、２つの波長（青色の波長および赤色の波長）が発光スペクトルのピーク波長となるような光がマゼンタ色発光体９１０から発せられ、緑色の波長が発光スペクトルのピーク波長となるような光が緑色発光体９２０から発せられる。そして、これらの光の合成光が白色光となる。図１７に示す構成のこのＬＥＤモジュールによれば、図１６に示す構成のＬＥＤモジュールよりも広い色再現範囲が得られる。以上のように、液晶表示装置に関しては、図１７に示した構成のＬＥＤモジュールをバックライト装置の光源とすることによって、色再現範囲の拡大が行われている。
【０００６】
なお、本件発明に関連して、特開２００７−１４１５４８号公報には、白色ＬＥＤと赤色ＬＥＤと緑色ＬＥＤと青色ＬＥＤとを一体化したＬＥＤモジュールを光源として採用することによって表示画面の色再現性を最適化する技術が開示されている。
【先行技術文献】
【特許文献】
【０００７】
【特許文献１】特開２００７−１４１５４８号公報
【発明の概要】
【発明が解決しようとする課題】
【０００８】
ところが、図１７に示した構成のＬＥＤモジュールが採用されている場合には、赤色蛍光体９１４の残光特性に起因してカラーブレイキング（色割れ）が生じる。これについて、以下に詳しく説明する。
【０００９】
図１７に示した構成においては、図１８に示すように、青色ＬＥＤ素子９１２から青色光が発せられ、赤色蛍光体９１４から赤色光が発せられ、緑色ＬＥＤ素子９２２から緑色光が発せられる。なお、赤色蛍光体９１４は、青色ＬＥＤ素子９１２から発せられる光によって励起されて発光する。ここで、緑色ＬＥＤ素子９２２から発せられる緑色光を符号Ｌ（Ｇ）で表し、青色ＬＥＤ素子９１２から発せられる青色光を符号Ｌ（Ｂ）で表し、赤色蛍光体９１４から発せられる赤色光を符号Ｆ（Ｒ）で表すと、各光の輝度の変化は図１９に示すようなものとなる。なお、図１９において、緑色ＬＥＤ素子９２２および青色ＬＥＤ素子９１２への点灯電流の供給を開始するタイミングを「オン」で表し、当該点灯電流の供給を遮断するタイミングを「オフ」で表している。
【００１０】
図１９から把握されるように、緑色ＬＥＤ素子９２２および青色ＬＥＤ素子９１２については、点灯電流の供給が遮断されると、すみやかに消灯状態となるが、赤色蛍光体９１４については、点灯電流の供給が遮断された後、徐々に輝度が低下する。このように、緑色ＬＥＤ素子９２２および青色ＬＥＤ素子９１２と赤色蛍光体９１４との間には、点灯電流の供給が遮断されてから完全に消灯状態になるまでの時間に差がある。このため、液晶の高速応答と相まって、赤色のカラーブレイキングが発生する。
【００１１】
以上のように、図１７に示した構成のＬＥＤモジュールを採用すれば、広い色再現範囲は得られるが、赤色蛍光体９１４の残光特性に起因してカラーブレイキングが生じるので充分な表示品位が得られない。なお、特開２００７−１４１５４８号公報には、色再現性の最適化については記載されているが、蛍光体の残光特性に起因するカラーブレイキングへの対策については何ら記載されていない。
【００１２】
そこで本発明は、蛍光体の残光特性に起因するカラーブレイキングの発生を抑制することができ、かつ、広い色再現範囲を実現することのできる、液晶表示装置用のバックライト装置を提供することを目的とする。
【課題を解決するための手段】
【００１３】
第１の発明は、光源に発光素子を用いたバックライト装置であって、
第１の青色発光素子と前記第１の青色発光素子から発せられる光によって励起されて発光する赤色蛍光体とで構成された第１の発光体，緑色発光素子で構成された第２の発光体，および第２の青色発光素子で構成された第３の発光体からなる発光体モジュールが設けられているバックライト本体と、
前記第１の青色発光素子に供給する点灯電流の大きさ，前記緑色発光素子に供給する点灯電流の大きさ，および前記第２の青色発光素子に供給する点灯電流の大きさをそれぞれ独立に制御することによって、前記第１の青色発光素子から発せられる光の輝度，前記緑色発光素子から発せられる光の輝度，および前記第２の青色発光素子から発せられる光の輝度を制御するバックライト駆動部と
を備え、
前記バックライト駆動部は、前記発光体モジュールを消灯状態にする際、前記第２の青色発光素子を消灯状態から点灯状態に変化させた後、前記緑色発光素子から発せられる光の輝度および前記第２の青色発光素子から発せられる光の輝度が前記赤色蛍光体の残光特性に応じて徐々に小さくなるように、前記緑色発光素子に供給する点灯電流の大きさおよび前記第２の青色発光素子に供給する点灯電流の大きさを制御することを特徴とする。
【００１４】
第２の発明は、第１の発明において、
前記バックライト駆動部は、前記第１の青色発光素子が点灯状態で維持されている期間中、前記第２の青色発光素子を消灯状態で維持することを特徴とする。
【００１５】
第３の発明は、第１の発明において、
前記バックライト駆動部は、前記第１の青色発光素子，前記緑色発光素子，および前記第２の青色発光素子を制御対象発光素子として、
与えられた制御電圧の大きさに応じた一定電流を点灯電流として前記制御対象発光素子に供給するための一定電流維持回路と、
与えられた制御信号のパルス幅に応じて前記制御対象発光素子への点灯電流の供給のオン／オフを制御するパルス幅変調制御回路と、
前記制御対象発光素子の目標輝度に応じて、前記制御電圧を前記一定電流維持回路に与えるとともに前記制御信号を前記パルス幅変調制御回路に与える制御部と
を備えることを特徴とする。
【００１６】
第４の発明は、第３の発明において、
前記バックライト駆動部は、前記発光体モジュールを消灯状態にする際、前記制御部から前記一定電流維持回路に与える制御電圧の大きさを徐々に変化させることによって、前記緑色発光素子から発せられる光の輝度および前記第２の青色発光素子から発せられる光の輝度を徐々に小さくすることを特徴とする。
【００１７】
第５の発明は、第３の発明において、
前記バックライト駆動部は、前記発光体モジュールを消灯状態にする際、前記制御部から前記パルス幅変調制御回路に与える制御信号のパルス幅を徐々に小さくすることによって、前記緑色発光素子から発せられる光の輝度および前記第２の青色発光素子から発せられる光の輝度を徐々に小さくすることを特徴とする。
【００１８】
第６の発明は、第３の発明において、
前記バックライト駆動部は、前記発光体モジュールを消灯状態にする際、前記制御部から前記一定電流維持回路に与える制御電圧の大きさを段階的に変化させることによって、前記緑色発光素子から発せられる光の輝度および前記第２の青色発光素子から発せられる光の輝度を徐々に小さくすることを特徴とする。
【００１９】
第７の発明は、第３の発明において、
前記バックライト駆動部は、前記制御対象発光素子に流れる点灯電流を検出する電流検出回路を更に備え、
前記制御部は、前記電流検出回路によって検出された点灯電流の大きさを考慮しつつ、前記制御電圧の大きさまたは前記制御信号のパルス幅の少なくとも一方を調整することを特徴とする。
【００２０】
第８の発明は、第１の発明において、
前記第１の青色発光素子，前記緑色発光素子，および前記第２の青色発光素子は、発光ダイオード素子であることを特徴とする。
【００２１】
第９の発明は、第１の発明において、
前記第１の青色発光素子，前記緑色発光素子，および前記第２の青色発光素子は、レーザーダイオード素子であることを特徴とする。
【００２２】
第１０の発明は、液晶表示装置であって、
画像を表示する表示部を含む液晶パネルと、
前記液晶パネルの背面に光を照射する第１の発明に係るバックライト装置と
を備えることを特徴とする。
【００２３】
第１１の発明は、第１の青色発光素子と前記第１の青色発光素子から発せられる光によって励起されて発光する赤色蛍光体とで構成された第１の発光体，緑色発光素子で構成された第２の発光体，および第２の青色発光素子で構成された第３の発光体が光源として設けられているバックライト装置の駆動方法であって、
前記第１の青色発光素子および前記緑色発光素子を点灯状態で維持するとともに前記第２の青色発光素子を消灯状態で維持する第１ステップと、
前記第１の青色発光素子を点灯状態から消灯状態に変化させるとともに前記第２の青色発光素子を消灯状態から点灯状態に変化させる第２ステップと、
前記緑色発光素子から発せられる光の輝度および前記第２の青色発光素子から発せられる光の輝度が前記赤色蛍光体の残光特性に応じて徐々に小さくなるように、前記緑色発光素子に供給する点灯電流の大きさおよび前記第２の青色発光素子に供給する点灯電流の大きさを制御する第３ステップと
を含むことを特徴とする。
【発明の効果】
【００２４】
上記第１の発明によれば、バックライト本体を構成する発光体モジュールは、青色発光素子（第１の青色発光素子）と赤色蛍光体とで構成された第１の発光体と、緑色発光素子で構成された緑色発光体と、青色発光素子（第２の青色発光素子）で構成された青色発光体とによって構成されている。そして、発光体モジュールが消灯状態になるとき、赤色蛍光体の残光特性に応じて、緑色発光素子から発せられる光（緑色光）の輝度および第２の青色発光素子から発せられる光（青色光）の輝度が徐々に小さくなる。これにより、点灯電流の供給が遮断された時点以降の赤色蛍光体の残光による影響が、緑色光および青色光によって打ち消される。その結果、赤色のカラーブレイキングの発生が抑制される。また、第１の発光体に赤色蛍光体を含めることにより、光源に赤色発光素子，緑色発光素子，および青色発光素子が用いられている場合と比較して、色再現範囲を広くすることができる。以上より、蛍光体の残光特性に起因するカラーブレイキングの発生を抑制することができ、かつ、広い色再現範囲を実現することのできるバックライト装置が提供される。
【００２５】
上記第２の発明によれば、第２の青色発光素子は赤色のカラーブレイキングの発生を抑制するための専用の発光素子として機能するので、より確実に上記第１の発明と同様の効果が得られる。
【００２６】
上記第３の発明によれば、複雑な構成の回路を備えることなく、上記第１の発明と同様の効果が得られる。
【００２７】
上記第４の発明によれば、発光体モジュールが消灯状態となる際、緑色発光素子から発せられる緑色光の輝度および第２の青色発光素子から発せられる青色光の輝度は、赤色蛍光体の残光の輝度と同じように変化する。このため、より効果的に、蛍光体の残光特性に起因するカラーブレイキングの発生が抑制される。
【００２８】
上記第５の発明によれば、比較的簡易な構成の回路で点灯電流の調整を行うことが可能となる。
【００２９】
上記第６の発明によれば、比較的簡易な構成の回路で点灯電流の調整を行うことが可能となる。
【００３０】
上記第７の発明によれば、発光素子に流れる点灯電流を検出しつつ、点灯電流の大きさを制御するための制御電圧・制御信号の調整が行われる。このため、より効果的に、蛍光体の残光特性に起因するカラーブレイキングの発生が抑制される。
【００３１】
上記第８の発明によれば、蛍光体の残光特性に起因するカラーブレイキングの発生を抑制することができ、かつ、広い色再現範囲を実現することのできる、光源に発光ダイオード素子を用いたバックライト装置が提供される。
【００３２】
上記第９の発明によれば、蛍光体の残光特性に起因するカラーブレイキングの発生を抑制することができ、かつ、広い色再現範囲を実現することのできる、光源にレーザーダイオード素子を用いたバックライト装置が提供される。
【００３３】
上記第１０の発明によれば、蛍光体の残光特性に起因するカラーブレイキングの発生を抑制することができ、かつ、広い色再現範囲を実現することのできる液晶表示装置が提供される。
【００３４】
上記第１１の発明によれば、バックライト装置の駆動方法の発明において、蛍光体の残光特性に起因するカラーブレイキングの発生を抑制することおよび広い色再現範囲を実現することが可能となる。
【図面の簡単な説明】
【００３５】
【図１】本発明の第１の実施形態におけるバックライトの駆動方法について説明するための波形図である。
【図２】上記第１の実施形態に係るバックライト装置を備えた液晶表示装置の全体構成を示すブロック図である。
【図３】上記第１の実施形態におけるバックライト装置の概略構成を示す図である。
【図４】上記第１の実施形態において、ＬＥＤ基板に搭載されるＬＥＤモジュールの構成を示す図である。
【図５】上記第１の実施形態において、バックライト駆動回路の一構成例を示す回路図である。
【図６】上記第１の実施形態における緑色光，青色光，および赤色光の輝度の変化を示す波形図である。
【図７】ＬＥＤモジュールの構成の違いによる発光スペクトルの違いについて説明するための図である。
【図８】ＬＥＤモジュールの構成の違いによる色再現範囲の違いについて説明するためのｘｙ色度図である。
【図９】本発明の第２の実施形態におけるバックライトの駆動方法について説明するための波形図である。
【図１０】上記第２の実施形態において、ＰＷＭ駆動の際のパルス幅の決め方について説明するための図である。
【図１１】本発明の第３の実施形態におけるバックライトの駆動方法について説明するための波形図である。
【図１２】上記第１〜第３の実施形態の変形例に係るバックライト装置の概略構成を示す図である。
【図１３】上記第１〜第３の実施形態の変形例に係るバックライト装置の概略構成を示す図である。
【図１４】従来のバックライト装置について説明するための図である。
【図１５】従来のバックライト装置について説明するための図である。
【図１６】従来のバックライト装置について説明するための図である。
【図１７】従来のバックライト装置について説明するための図である。
【図１８】従来のバックライト装置における発光について説明するための図である。
【図１９】従来のバックライト装置における緑色光，青色光，および赤色光の輝度の変化を示す波形図である。
【発明を実施するための形態】
【００３６】
以下、添付図面を参照しつつ本発明の実施形態について説明する。なお、第２の実施形態および第３の実施形態に関しては、第１の実施形態と同様の点については適宜説明を省略する。
【００３７】
＜１．第１の実施形態＞
＜１．１  全体構成および動作＞
図２は、本発明の第１の実施形態に係るバックライト装置を備えた液晶表示装置の全体構成を示すブロック図である。この液晶表示装置は、バックライト装置１００と表示制御回路２００とソースドライバ（映像信号線駆動回路）３００とゲートドライバ（走査信号線駆動回路）４００と表示部５００とを備えている。バックライト装置１００は、バックライト本体１０２とバックライト駆動回路１０４とからなる。
【００３８】
表示部５００には、複数本（ｎ本）のソースバスライン（映像信号線）ＳＬ１〜ＳＬｎと、複数本（ｍ本）のゲートバスライン（走査信号線）ＧＬ１〜ＧＬｍと、それら複数本のソースバスラインＳＬ１〜ＳＬｎと複数本のゲートバスラインＧＬ１〜ＧＬｍとの交差点にそれぞれ対応して設けられた複数個（ｎ×ｍ個）の画素形成部とが含まれている。これらの画素形成部はマトリクス状に配置されて画素アレイを構成している。各画素形成部は、対応する交差点を通過するゲートバスラインにゲート端子が接続される共に当該交差点を通過するソースバスラインにソース端子が接続されたスイッチング素子である薄膜トランジスタ（ＴＦＴ）５０と、その薄膜トランジスタ５０のドレイン端子に接続された画素電極５１と、上記複数個の画素形成部に共通的に設けられた対向電極である共通電極Ｅｃと、上記複数個の画素形成部に共通的に設けられ画素電極５１と共通電極Ｅｃとの間に挟持された液晶層とからなる。そして、画素電極５１と共通電極Ｅｃとにより形成される液晶容量により、画素容量Ｃｐが構成される。なお、一般的には、画素容量Ｃｐに確実に電圧を保持すべく、液晶容量に並列に補助容量が設けられる。但し、補助容量は本発明には直接に関係しないのでその説明および図示を省略する。
【００３９】
バックライト本体１０２は、表示部５００を含む液晶パネルの背面側に設けられ、液晶パネルの背面にバックライト光を照射する。バックライト本体１０２は、光源としてＬＥＤ（発光ダイオード）を備えている。なお、このバックライト本体１０２の詳しい構成については後述する。
【００４０】
表示制御回路２００は、外部から送られる画像信号ＤＡＴと水平同期信号や垂直同期信号などのタイミング信号群ＴＧとを受け取り、デジタル映像信号ＤＶと、ソースドライバ３００の動作を制御するためのソーススタートパルス信号ＳＳＰ，ソースクロック信号ＳＣＫ，およびラッチストローブ信号ＬＳと、ゲートドライバ４００の動作を制御するためのゲートスタートパルス信号ＧＳＰおよびゲートクロック信号ＧＣＫと、バックライト駆動回路１０４の動作を制御するためのバックライト制御信号ＢＳとを出力する。
【００４１】
ソースドライバ３００は、表示制御回路２００から送られるデジタル映像信号ＤＶ，ソーススタートパルス信号ＳＳＰ，ソースクロック信号ＳＣＫ，およびラッチストローブ信号ＬＳを受け取り、ソースバスラインＳＬ１〜ＳＬｎに駆動用映像信号Ｓ（１）〜Ｓ（ｎ）を印加する。このとき、ソースドライバ３００では、ソースクロック信号ＳＣＫのパルスが発生するタイミングで、各ソースバスラインＳＬ１〜ＳＬｎに印加すべき電圧を示すデジタル映像信号ＤＶが順次に保持される。そして、ラッチストローブ信号ＬＳのパルスが発生するタイミングで、上記保持されたデジタル映像信号ＤＶがアナログ電圧に変換される。その変換されたアナログ電圧は、駆動用映像信号Ｓ（１）〜Ｓ（ｎ）として全てのソースバスラインＳＬ１〜ＳＬｎに一斉に印加される。
【００４２】
ゲートドライバ４００は、表示制御回路２００から送られるゲートスタートパルス信号ＧＳＰとゲートクロック信号ＧＣＫとに基づいて、アクティブな走査信号Ｇ（１）〜Ｇ（ｍ）の各ゲートバスラインＧＬ１〜ＧＬｍへの印加を１垂直走査期間を周期として繰り返す。
【００４３】
バックライト駆動回路１０４は、表示制御回路２００から送られるバックライト制御信号ＢＳに基づいて、バックライト本体１０２内の光源（ＬＥＤ）の輝度を制御する。
【００４４】
以上のようにして、各ゲートバスラインＧＬ１〜ＧＬｍに走査信号Ｇ（１）〜Ｇ（ｍ）が印加され、各ソースバスラインＳＬ１〜ＳＬｎに駆動用映像信号Ｓ（１）〜Ｓ（ｎ）が印加され、バックライト本体１０２内の光源の輝度が制御されることにより、外部から送られる画像信号ＤＡＴに応じた画像が表示部５００に表示される。
【００４５】
＜１．２  バックライト本体の構成＞
図３は、本実施形態におけるバックライト本体１０２の概略構成を示す図である。なお、図３は、液晶パネル５およびバックライト本体１０２を側面から見た図である。バックライト本体１０２は、液晶パネル５の背面側に設けられている。すなわち、本実施形態においては、いわゆる直下型のバックライトが採用されている。バックライト本体１０２は、光源としての複数の発光体を搭載したＬＥＤ基板１０と、発光体から発せられた光を拡散させて均一にするための拡散板１２と、液晶パネル５に向けて照射される光の効率を高めるための光学シート１４と、ＬＥＤ基板１０等を支持するシャーシ１６とによって構成されている。
【００４６】
＜１．３  ＬＥＤモジュールの構成＞
図４は、ＬＥＤ基板１０に搭載されるＬＥＤモジュールの構成を示す図である。本実施形態においては、ＬＥＤモジュールは、青色ＬＥＤ素子１１２を赤色蛍光体１１４で覆った構造のマゼンタ色発光体１１０と、緑色ＬＥＤ素子１２２からなる緑色発光体１２０と、青色ＬＥＤ素子１３２からなる青色発光体１３０とによって構成されている。すなわち、本実施形態におけるＬＥＤモジュールの構成は、図１７に示した従来例における構成に青色ＬＥＤ素子１３２からなる青色発光体１３０が追加された構成となっている。この青色発光体１３０が設けられていることにより、後述するように、全ての光源を消灯させる際に赤色蛍光体１１４の残光特性に合わせるように青色光の輝度を徐々に低下させることが可能となっている。
【００４７】
なお、本実施形態においては、マゼンタ色発光体１１０によって第１の発光体が実現され、緑色発光体１２０によって第２の発光体が実現され、青色発光体１３０によって第３の発光体が実現されている。また、青色ＬＥＤ素子１１２によって第１の青色発光素子が実現され、緑色ＬＥＤ素子１２２によって緑色発光素子が実現され、青色ＬＥＤ素子１３２によって第２の青色発光素子が実現されている。
【００４８】
図４に示すように、青色ＬＥＤ素子１１２から青色光が発せられ、赤色蛍光体１１４から赤色光が発せられ、緑色ＬＥＤ素子１２２から緑色光が発せられ、青色ＬＥＤ素子１３２から青色光が発せられる。なお、赤色蛍光体１１４は、青色ＬＥＤ素子１１２から発せられる光によって励起されて発光する。青色ＬＥＤ素子１１２から発せられた青色光と赤色蛍光体１１４から発せられた赤色光との合成光はマゼンタ色光となる。このようにしてマゼンタ色光、緑色光、および青色光がそれぞれマゼンタ色発光体１１０、緑色発光体１２０、および青色発光体１３０から出射されることにより、白色光が液晶パネル５に照射される。
【００４９】
なお、本実施形態においては光源にＬＥＤ素子（発光ダイオード素子）が用いられている例を挙げて説明しているが、本発明はこれに限定されない。光源にレーザーダイオード素子が用いられている場合にも本発明を適用することができる。この点は、第２の実施形態および第３の実施形態についても同様である。
【００５０】
＜１．４  バックライト駆動回路の構成＞
図５は、本実施形態におけるバックライト駆動回路１０４の一構成例を示す回路図である。なお、図５においては、光源に用いられている発光ダイオード素子を総称して符号１９で表している。また、図５には、直列に接続された一系統分の発光ダイオード素子１９を駆動するための構成要素を示している。
【００５１】
図５に示すように、電源７００とバックライト駆動回路１０４との間に一系統分の複数の発光ダイオード素子１９が直列に接続されている。バックライト駆動回路１０４は、電流検出回路６１，一定電流維持回路６２，ＰＷＭ制御回路（パルス幅変調制御回路）６３，抵抗器６４，および制御部６５を有している。
【００５２】
電流検出回路６１は、点灯電流（発光ダイオード素子１９に流れる電流）の検出を行う。電流検出回路６１による点灯電流の検出の結果である検出電流値Ｉｄｅｔは、制御部６５に与えられる。なお、この電流検出回路６１は、例えばシャント抵抗や差動増幅器を用いた公知の回路によって実現される。
【００５３】
一定電流維持回路６２は、目標輝度に応じた一定電流が発光ダイオード素子１９に流れるようにする制御を行う。この一定電流維持回路６２は、例えば、図５に示すように、ＦＥＴ（電界効果トランジスタ）６２２とオペアンプ６２４とによって構成される。ＦＥＴ６２２については、ゲート端子はオペアンプ６２４の出力端子に接続され、ドレイン端子は電流検出回路６１に接続され、ソース端子は、ＰＷＭ制御回路６３およびオペアンプ６２４の反転入力端子に接続されている。オペアンプ６２４の非反転入力端子には、制御部６５から制御電圧Ｖｃｔｌが与えられている。以上のような構成によりオペアンプ６２４には負帰還がかかるので、イマジナリショートによりオペアンプ６２４の非反転入力端子−反転入力端子間の電圧が０になるように当該オペアンプ６２４は動作する。このため、ＦＥＴ６２２のソース電圧はＶｃｔｌで一定となる。このソース電圧と抵抗器６４の抵抗値とに基づいて、一定電流が発光ダイオード素子１９に流れる。なお、目標輝度が変わると制御部６５から出力される制御電圧Ｖｃｔｌの大きさが変化するので、目標輝度に応じて、発光ダイオード素子１９に流れる電流の大きさも変化する。
【００５４】
ＰＷＭ制御回路６３には、トランジスタ６３０が含まれている。ＰＷＭ制御回路６３は、制御部６５から与えられる制御信号Ｓｃｔｌのパルス幅に応じてトランジスタ６３０のオン／オフを制御することによって、点灯電流の大きさを制御する。制御信号Ｓｃｔｌのパルス幅が大きければ、トランジスタ６３０がオン状態となる時間が相対的に長くなるので、点灯電流の大きさは大きくなる。一方、制御信号Ｓｃｔｌのパルス幅が小さければ、トランジスタ６３０がオン状態となる時間が相対的に短くなるので、点灯電流の大きさは小さくなる。
【００５５】
制御部６５は、発光ダイオード素子１９の目標輝度と上記検出電流値Ｉｄｅｔとに基づいて、目標輝度に応じた大きさの点灯電流が発光ダイオード素子１９に流れるよう、一定電流維持回路６２に制御電圧Ｖｃｔｌを与えるとともにＰＷＭ制御回路６３に制御信号Ｓｃｔｌを与える。
【００５６】
本実施形態においては、以上のような構成のバックライト駆動回路１０４によって、マゼンタ色発光体１１０内の青色ＬＥＤ素子１１２に流れる点灯電流の大きさ，緑色発光体１２０内の緑色ＬＥＤ素子１２２に流れる点灯電流の大きさ，および青色発光体１３０内の青色ＬＥＤ素子１３２に流れる点灯電流の大きさがそれぞれ独立に制御される。すなわち、上記構成要素（電流検出回路６１，一定電流維持回路６２，ＰＷＭ制御回路６３，抵抗器６４，および制御部６５）は、青色ＬＥＤ素子１１２，緑色ＬＥＤ素子１２２，および青色ＬＥＤ素子１３２のそれぞれに対して設けられる。
【００５７】
＜１．５  バックライトの駆動方法＞
次に、本実施形態におけるバックライトの駆動方法について説明する。なお、以下においては、全ての光源を消灯させる際（発光体モジュールを消灯状態にする際）にマゼンタ色発光体１１０内の青色ＬＥＤ素子１１２への点灯電流の供給を遮断する時点のことを「点灯電流遮断時点」という。青色ＬＥＤ素子１３２から発せられる青色光を符号Ｌ（Ｂ２）で表し、緑色ＬＥＤ素子１２２から発せられる緑色光を符号Ｌ（Ｇ）で表し、青色ＬＥＤ素子１１２から発せられる青色光を符号Ｌ（Ｂ１）で表し、赤色蛍光体１１４から発せられる赤色光を符号Ｆ（Ｒ）で表すと、全ての光源を消灯させる際に、バックライト駆動回路１０４は、各光の輝度の変化が図１に示すようなものとなるように、青色ＬＥＤ素子１３２および緑色ＬＥＤ素子１２２を駆動する。なお、図１では、光源の点灯開始時点を符号ｔ０で表し、点灯電流遮断時点を符号ｔ１で表し、赤色蛍光体１１４からの残光がなくなる時点を符号ｔ２で表している。また、時点ｔ１から時点ｔ２までの期間を便宜上「赤色蛍光体残光期間」という。
【００５８】
緑色ＬＥＤ素子１２２については、点灯電流遮断時点から徐々に輝度が低下するように駆動される。青色ＬＥＤ素子１３２については、点灯電流遮断時点に消灯状態から点灯状態に変えられ、当該点灯電流遮断時点から徐々に輝度が低下するように駆動される。更に詳しくは、緑色ＬＥＤ素子１２２から発せられる緑色光および青色ＬＥＤ素子１３２から発せられる青色光についての赤色蛍光体残光期間における輝度変化の波形が赤色蛍光体１１４から発せられる赤色光についての赤色蛍光体残光期間における輝度変化の波形とできるだけ同じになるように、緑色ＬＥＤ素子１２２および青色ＬＥＤ素子１３２が駆動される。
【００５９】
なお、本実施形態においては、時点ｔ０から時点ｔ１までの期間における制御によって第１ステップが実現され、時点ｔ１（点灯電流遮断時点）における制御によって第１ステップが実現され、時点ｔ１から時点ｔ２までの期間（赤色蛍光体残光期間）における制御によって第３ステップが実現されている。すなわち、本実施形態におけるバックライト装置１００の駆動方法には、青色ＬＥＤ素子１１２および緑色ＬＥＤ素子１２２を点灯状態で維持するとともに青色ＬＥＤ素子１３２を消灯状態で維持する第１ステップと、青色ＬＥＤ素子１１２を点灯状態から消灯状態に変化させるとともに青色ＬＥＤ素子１３２を消灯状態から点灯状態に変化させる第２ステップと、緑色ＬＥＤ素子１２２から発せられる緑色光の輝度および青色ＬＥＤ素子１３２から発せられる青色光の輝度が赤色蛍光体１１４の残光特性に応じて徐々に小さくなるよう緑色ＬＥＤ素子１２２に供給する点灯電流の大きさおよび青色ＬＥＤ素子１３２に供給する点灯電流の大きさを制御する第３ステップとが含まれている。
【００６０】
次に、青色ＬＥＤ素子１３２および緑色ＬＥＤ素子１２２を赤色蛍光体残光期間に上述のように駆動する具体的な手法について説明する（図５参照）。電流検出回路６１は、発光ダイオード素子１９（ここでは、青色ＬＥＤ素子１３２あるいは緑色ＬＥＤ素子１２２）に流れる点灯電流の検出を行う。電流検出回路６１による点灯電流の検出の結果である検出電流値Ｉｄｅｔは、この液晶表示装置が動作している期間を通じて、制御部６５に与えられる。これにより、制御部６５では、検出電流値Ｉｄｅｔに基づいて、発光ダイオード素子１９から発せられる光の各時点における輝度を把握することができる。そして、制御部６５は、赤色蛍光体残光期間中、緑色ＬＥＤ素子１２２から発せられる緑色光Ｌ（Ｇ）の輝度変化の波形と赤色蛍光体１１４から発せられる赤色光Ｆ（Ｒ）の輝度変化の波形とができるだけ同じになるように、緑色ＬＥＤ素子１２２用の一定電流維持回路６２に与える制御電圧Ｖｃｔｌの大きさを徐々に変化させる。また、制御部６５は、赤色蛍光体残光期間中、青色ＬＥＤ素子１３２から発せられる青色光Ｌ（Ｂ２）の輝度変化の波形と赤色蛍光体１１４から発せられる赤色光Ｆ（Ｒ）の輝度変化の波形とができるだけ同じになるように、青色ＬＥＤ素子１３２用の一定電流維持回路６２に与える制御電圧Ｖｃｔｌの大きさを徐々に変化させる。
【００６１】
なお、本実施形態においては、青色ＬＥＤ素子１１２用のＰＷＭ制御回路６３には、時点ｔ０から時点ｔ１までの期間にトランジスタ６３０がオン状態となるよう制御信号Ｓｃｔｌが与えられ、緑色ＬＥＤ素子１２２用のＰＷＭ制御回路６３には、時点ｔ０から時点ｔ２までの期間にトランジスタ６３０がオン状態となるよう制御信号Ｓｃｔｌが与えられ、青色ＬＥＤ素子１３２用のＰＷＭ制御回路６３には、時点ｔ１から時点ｔ２までの期間にトランジスタ６３０がオン状態となるよう制御信号Ｓｃｔｌが与えられる。
【００６２】
以上のようにして図１に示すように各光の輝度が変化することにより、ＬＥＤモジュールから発せられる緑色光Ｌ（Ｇ），青色光Ｌ（Ｂ１＋Ｂ２），および赤色光Ｆ（Ｒ）のそれぞれの輝度変化の波形は、図６に示すようなものとなる。なお、図６における青色光Ｌ（Ｂ１＋Ｂ２）は、マゼンタ色発光体１１０内の青色ＬＥＤ素子１１２から発せられる青色光Ｌ（Ｂ１）と青色発光体１３０内の青色ＬＥＤ素子１３２から発せられる青色光Ｌ（Ｂ２）とを合成したものである。
【００６３】
図６から把握されるように、赤色蛍光体残光期間中、緑色光Ｌ（Ｇ），青色光Ｌ（Ｂ１＋Ｂ２），および赤色光Ｆ（Ｒ）は同じように輝度が変化する。すなわち、点灯電流遮断時点以降の赤色蛍光体１１４の残光による影響が、緑色光Ｌ（Ｇ）および青色光Ｌ（Ｂ１＋Ｂ２）によって打ち消される。これにより、赤色のカラーブレイキングの発生が抑制される。
【００６４】
＜１．６  色再現範囲＞
白色光を得るために赤色ＬＥＤ素子からなる赤色発光体と緑色ＬＥＤ素子からなる緑色発光体と青色ＬＥＤ素子からなる青色発光体とによってＬＥＤモジュールを構成した場合（すなわち、図１６に示した構成のＬＥＤモジュールが採用されている場合）、当該ＬＥＤモジュールからの発光スペクトルは、図７で符号８１で示すような曲線で表される。これに対して、白色光を得るために青色ＬＥＤ素子を赤色蛍光体で覆った構造のマゼンタ色発光体と緑色ＬＥＤ素子からなる緑色発光体とによってＬＥＤモジュールを構成した場合（すなわち、図１７に示した構成のＬＥＤモジュールが採用されている場合）、当該ＬＥＤモジュールからの発光スペクトルは、図７で符号８２で示すような曲線で表される。これらの発光スペクトルに基づくと、図１６に示した構成のＬＥＤモジュールが採用されている場合の色再現範囲は図８で符号９で示す三角形で表されるのに対し、図１７に示した構成のＬＥＤモジュールが採用されている場合の色再現範囲は図８で符号７で示す三角形で表される。上述したように、本実施形態におけるＬＥＤモジュールの構成は、図１７に示した構成に青色ＬＥＤ素子１３２からなる青色発光体１３０を追加した構成である。従って、本実施形態においては、図１７に示した構成のＬＥＤモジュールが採用されている場合と少なくとも同等の色再現範囲が得られる。
【００６５】
＜１．７  効果＞
本実施形態によれば、バックライト本体１０２を構成するＬＥＤモジュールは、青色ＬＥＤ素子１１２を赤色蛍光体１１４で覆った構造のマゼンタ色発光体１１０と、緑色ＬＥＤ素子１２２からなる緑色発光体１２０と、青色ＬＥＤ素子１３２からなる青色発光体１３０とによって構成されている。そして、全ての光源を消灯状態にする際、バックライト駆動回路１０４は、緑色ＬＥＤ素子１２２から発せられる緑色光および青色ＬＥＤ素子１３２から発せられる青色光についての赤色蛍光体残光期間における輝度変化の波形が赤色蛍光体１１４から発せられる赤色光についての赤色蛍光体残光期間における輝度変化の波形とできるだけ同じになるように、緑色ＬＥＤ素子１２２および青色ＬＥＤ素子１３２を駆動する。これにより、点灯電流遮断時点以降の赤色蛍光体１１４の残光による影響が、緑色光および青色光によって打ち消される。その結果、赤色のカラーブレイキングの発生が抑制される。また、赤色蛍光体１１４が用いられていることにより、赤色ＬＥＤ素子からなる赤色発光体と緑色ＬＥＤ素子からなる緑色発光体と青色ＬＥＤ素子からなる青色発光体とによって構成されたＬＥＤモジュールが採用されている場合と比較して、色再現範囲が広くなる。以上より、本実施形態によれば、蛍光体の残光特性に起因するカラーブレイキングの発生を抑制することができ、かつ、広い色再現範囲を実現することのできる、液晶表示装置用のバックライト装置が提供される。
【００６６】
＜２．第２の実施形態＞
本発明の第２の実施形態について説明する。なお、上記第１の実施形態とはバックライトの駆動方法のみが異なるので、それ以外の点についての説明は省略する。
【００６７】
本実施形態においては、全ての光源を消灯させる際に、バックライト駆動回路１０４は、各光の輝度の変化が図９に示すようなものとなるように、青色ＬＥＤ素子１３２および緑色ＬＥＤ素子１２２を駆動する。なお、図９においては、図１と同様、青色ＬＥＤ素子１３２から発せられる青色光を符号Ｌ（Ｂ２）で表し、緑色ＬＥＤ素子１２２から発せられる緑色光を符号Ｌ（Ｇ）で表し、青色ＬＥＤ素子１１２から発せられる青色光を符号Ｌ（Ｂ１）で表し、赤色蛍光体１１４から発せられる赤色光を符号Ｆ（Ｒ）で表している。
【００６８】
緑色ＬＥＤ素子１２２については、点灯電流遮断時点以降、所定期間中の点灯期間の割合が徐々に小さくなるように駆動される。青色ＬＥＤ素子１３２については、点灯電流遮断時点に消灯状態から点灯状態に変えられ、当該点灯電流遮断時点以降、所定期間中の点灯期間の割合が徐々に小さくなるように駆動される。このように、赤色蛍光体残光期間中、緑色ＬＥＤ素子１２２および青色ＬＥＤ素子１３２についてはＰＷＭ（パルス幅変調）駆動が行われる。なお、このＰＷＭ駆動は人の目の認識能力を基準にすると極めて高速で行われるので、青色ＬＥＤ素子１３２から発せられる青色光Ｌ（Ｂ２）および緑色ＬＥＤ素子１２２から発せられる緑色光Ｌ（Ｇ）の輝度変化は人の目には図１に示したように認識される。
【００６９】
次に、青色ＬＥＤ素子１３２および緑色ＬＥＤ素子１２２を赤色蛍光体残光期間に上述のように駆動する具体的な手法について説明する（図５参照）。上記第１の実施形態と同様、制御部６５では、検出電流値Ｉｄｅｔに基づいて、発光ダイオード素子１９から発せられる光の各時点における輝度を把握することができる。そして、制御部６５は、緑色ＬＥＤ素子１２２や青色ＬＥＤ素子１３２が点灯状態となるときには一定の輝度となるよう、一定の大きさの制御電圧Ｖｃｔｌを一定電流維持回路６２に与える。制御部６５は、このように一定の大きさの制御電圧Ｖｃｔｌを一定電流維持回路６２に与えた状態で、赤色蛍光体残光期間中、図９で示したように青色光Ｌ（Ｂ２）および緑色光Ｌ（Ｇ）の輝度が変化するよう、ＰＷＭ制御回路６３に制御信号Ｓｃｔｌを与える。この制御信号Ｓｃｔｌの波形は、図９に示した青色光Ｌ（Ｂ２）および緑色光Ｌ（Ｇ）の輝度変化の波形と同じにされる。これにより、ＰＷＭ制御回路６３内のトランジスタ６３０のオン／オフ状態が制御信号Ｓｃｔｌの波形に合わせて切り替えられる。
【００７０】
なお、上記ＰＷＭ駆動におけるパルス幅は、図１０に示すように微小時間において青色ＬＥＤ素子１３２から発せられる青色光Ｌ（Ｂ２）による輝度の積分値（面積積分）８３および緑色ＬＥＤ素子１２２から発せられる緑色光Ｌ（Ｇ）による輝度の積分値（面積積分）８３が赤色蛍光体１１４の残光特性による輝度の積分値（面積積分）８４と等しくなるように決定される。
【００７１】
以上のようにして図９に示すように各光の輝度が変化することにより、ＬＥＤモジュールから発せられる緑色光Ｌ（Ｇ），青色光Ｌ（Ｂ１＋Ｂ２），および赤色光Ｆ（Ｒ）のそれぞれの輝度変化は、人の目には図６に示すようなものと認識される。
【００７２】
以上より、本実施形態においても、上記第１の実施形態と同様、蛍光体の残光特性に起因するカラーブレイキングの発生を抑制することができ、かつ、広い色再現範囲を実現することのできる、液晶表示装置用のバックライト装置が提供される。また、赤色蛍光体残光期間中における青色ＬＥＤ素子１３２および緑色ＬＥＤ素子１２２の点灯電流の制御がＰＷＭ制御によって行われるので、上記第１の実施形態と比べて回路構成が簡単になる。このため、上記第１の実施形態と比べて、コストが低減される。
【００７３】
＜３．第３の実施形態＞
本発明の第３の実施形態について説明する。なお、上記第１の実施形態とはバックライトの駆動方法のみが異なるので、それ以外の点についての説明は省略する。
【００７４】
本実施形態においては、全ての光源を消灯させる際に、バックライト駆動回路１０４は、各光の輝度の変化が図１１に示すようなものとなるように、青色ＬＥＤ素子１３２および緑色ＬＥＤ素子１２２を駆動する。なお、図１１においては、図１と同様、青色ＬＥＤ素子１３２から発せられる青色光を符号Ｌ（Ｂ２）で表し、緑色ＬＥＤ素子１２２から発せられる緑色光を符号Ｌ（Ｇ）で表し、青色ＬＥＤ素子１１２から発せられる青色光を符号Ｌ（Ｂ１）で表し、赤色蛍光体１１４から発せられる赤色光を符号Ｆ（Ｒ）で表している。
【００７５】
緑色ＬＥＤ素子１２２については、点灯電流遮断時点からステップ状に徐々に輝度が低下するように駆動される。青色ＬＥＤ素子１３２については、点灯電流遮断時点に消灯状態から点灯状態に変えられ、当該点灯電流遮断時点からステップ状に輝度が低下するように駆動される。このとき、青色ＬＥＤ素子１３２から発せられる青色光Ｌ（Ｂ２）および緑色ＬＥＤ素子１２２から発せられる緑色光Ｌ（Ｇ）の輝度変化が人の目には図１に示したように認識される。
【００７６】
次に、青色ＬＥＤ素子１３２および緑色ＬＥＤ素子１２２を赤色蛍光体残光期間に上述のように駆動する具体的な手法について説明する（図５参照）。上記第１の実施形態と同様、制御部６５では、検出電流値Ｉｄｅｔに基づいて、発光ダイオード素子１９から発せられる光の各時点における輝度を把握することができる。そして、制御部６５は、赤色蛍光体残光期間中、図１１で示したように青色光Ｌ（Ｂ２）および緑色光Ｌ（Ｇ）の輝度が変化するよう、一定電流維持回路６２に与える制御電圧Ｖｃｔｌの大きさをステップ状に変化させる。
【００７７】
なお、本実施形態においては、青色ＬＥＤ素子１１２用のＰＷＭ制御回路６３には、時点ｔ０から時点ｔ１までの期間にトランジスタ６３０がオン状態となるよう制御信号Ｓｃｔｌが与えられ、緑色ＬＥＤ素子１２２用のＰＷＭ制御回路６３には、時点ｔ０から時点ｔ２までの期間にトランジスタ６３０がオン状態となるよう制御信号Ｓｃｔｌが与えられ、青色ＬＥＤ素子１３２用のＰＷＭ制御回路６３には、時点ｔ１から時点ｔ２までの期間にトランジスタ６３０がオン状態となるよう制御信号Ｓｃｔｌが与えられる。
【００７８】
以上のようにして図１１に示すように各光の輝度が変化することにより、ＬＥＤモジュールから発せられる緑色光Ｌ（Ｇ），青色光Ｌ（Ｂ１＋Ｂ２），および赤色光Ｆ（Ｒ）のそれぞれの輝度変化は、人の目には図６に示すようなものと認識される。
【００７９】
以上より、本実施形態においても、上記第１の実施形態と同様、蛍光体の残光特性に起因するカラーブレイキングの発生を抑制することができ、かつ、広い色再現範囲を実現することのできる、液晶表示装置用のバックライト装置が提供される。また、赤色蛍光体残光期間中における青色ＬＥＤ素子１３２および緑色ＬＥＤ素子１２２の発光の制御は点灯電流をステップ状に変化させることによって行われるので、上記第１の実施形態と比べて回路構成が簡単になる。このため、上記第１の実施形態と比べて、コストが低減される。
【００８０】
＜４．変形例＞
上記各実施形態においては直下型のバックライト装置が採用されていたが、本発明はこれに限定されない。エッジライト型のバックライト装置が採用されている場合にも、本発明を適用することができる。そこで、変形例として、エッジライト型のバックライト装置の構成について説明する。なお、本変形例においても、バックライト装置はバックライト本体とバックライト駆動回路とによって構成される。
【００８１】
図１２および図１３は、本変形例におけるバックライト本体の概略構成を示す図である。なお、図１２は、液晶パネル５およびバックライト本体を上から見た模式図であり、図１３は、液晶パネル５およびバックライト本体を側面から見た図である。バックライト本体は、光源としての複数の発光体を搭載したＬＥＤ基板１０と、光源から発せられた光を液晶パネル５に向けて面状に出射させるための導光板１８と、液晶パネル５に向けて照射される光の効率を高めるための光学シート１４とによって構成されている。導光板１８および光学シート１４は、液晶パネル５の背面側に設けられている。光学シート１４は、導光板１８と液晶パネル５との間に設けられている。ＬＥＤ基板１０は、導光板１８の端部近傍に設けられている。なお、図１２および図１３では、シャーシを省略している。
【００８２】
以上のようなエッジライト型のバックライト装置が採用されている場合にも、上記各実施形態と同様にして、蛍光体の残光特性に起因するカラーブレイキングの発生を抑制し、かつ、広い色再現範囲を実現することが可能となる。
【００８３】
＜５．その他＞
一般に、色温度の調整は、３原色（赤色，緑色，および青色）のそれぞれのゲイン（入力信号の強さに対して実際に表示される色の強さ）を調整することによって行われる。これに関し、図１７に示した構成のＬＥＤモジュールによれば、マゼンタ色発光体９１０からの発光を制御することによってマゼンタ色の輝度が制御され、緑色発光体９２０からの発光を制御することによって緑色の輝度が制御される。しかしながら、輝度を独立に制御することができるのが２色（マゼンタ色および緑色）だけであるので、光源の輝度を調整することによる色温度の変更はできない。この点、上記各実施形態によれば、バックライト本体１０２を構成するＬＥＤモジュールには、図１７に示した従来技術における構成要素に加えて、青色ＬＥＤ素子１３２からなる青色発光体１３０が含まれている（図４参照）。このため、各発光体からの発光を制御することによって、マゼンタ色，緑色，および青色の３色の輝度を独立に制御することができる。従って、色温度の変更が可能となる。これにより、白色点の調整が可能となるので、表示品位が向上する。上記各実施形態によれば、このような効果も得られる。
【符号の説明】
【００８４】
５…液晶パネル
１０…ＬＥＤ基板
１２…拡散板
１４…光学シート
１６…シャーシ
１８…導光板
６１…電流検出回路
６２…一定電流維持回路
６３…ＰＷＭ（パルス幅変調）制御回路
６４…抵抗器
６５…制御部
１００…バックライト装置
１０２…バックライト本体
１０４…バックライト駆動回路
１１０…マゼンタ色発光体（第１の発光体）
１１２…青色ＬＥＤ素子（第１の青色発光素子）
１１４…赤色蛍光体
１２０…緑色発光体（第２の発光体）
１２２…緑色ＬＥＤ素子（緑色発光素子）
１３０…青色発光体（第３の発光体）
１３２…青色ＬＥＤ素子（第２の青色発光素子）
２００…表示制御回路
３００…ソースドライバ（映像信号線駆動回路）
４００…ゲートドライバ（走査信号線駆動回路）
５００…表示部
Ｆ（Ｒ）…マゼンタ色発光体内の赤色蛍光体から発せられる赤色光
Ｌ（Ｂ１）…マゼンタ色発光体内の青色ＬＥＤ素子から発せられる青色光
Ｌ（Ｂ２）…青色発光体内の青色ＬＥＤ素子から発せられる青色光
Ｌ（Ｇ）…緑色発光体内の緑色ＬＥＤ素子から発せられる緑色光
【図１】
2015219277.tif 000003
【図２】
2015219277.tif 000004
【図３】
2015219277.tif 000005
【図４】
2015219277.tif 000006
【図５】
2015219277.tif 000007
【図６】
2015219277.tif 000008
【図７】
2015219277.tif 000009
【図８】
2015219277.tif 000010
【図９】
2015219277.tif 000011
【図１０】
2015219277.tif 000012
【図１１】
2015219277.tif 000013
【図１２】
2015219277.tif 000014
【図１３】
2015219277.tif 000015
【図１４】
2015219277.tif 000016
【図１５】
2015219277.tif 000017
【図１６】
2015219277.tif 000018
【図１７】
2015219277.tif 000019
【図１８】
2015219277.tif 000020
【図１９】
2015219277.tif 000021